(57)【要約】【課題】ユーザーに違和感を与えることなく、撮影間隔を短縮させる。【解決手段】デジタルカメラ２に、被写体撮影を行う撮影モード、撮影した画像の再生を行う再生モードを選択するモード選択スイッチ２３、およびこれらのモードのうちどちらのモードであるかを検知するモード検知手段２５と、電源スイッチ２２がオフされたことを検知する電源オフ検知手段２４とを設ける。モード検知手段２５で撮影モードから再生モードに切り替わったことを検知した場合、または電源オフ検知手段２４で電源オフを検知した場合に、信号処理回路１６で画像データに歪み補正を施す。【選択図】        図１
2004159168.tif 000002
【特許請求の範囲】
【請求項１】
被写体を撮影する撮像手段と、撮影した画像を表示する画像表示手段と、画像データを記憶する記憶手段と、画像データに歪み補正を施す信号処理手段とを備えたデジタルカメラにおいて、
被写体撮影を行う撮影モード、撮影した画像の再生を行う再生モードを選択するモード選択手段と、これらのモードのうちどちらのモードであるかを検知するモード検知手段とを設けるとともに、モード検知手段で撮影モードから再生モードに切り替わったことを検知した場合に、前記信号処理手段で画像データに歪み補正を施すことを特徴とするデジタルカメラ。
【請求項２】
被写体を撮影する撮像手段と、撮影した画像を表示する画像表示手段と、画像データを記憶する記憶手段と、画像データに歪み補正を施す信号処理手段とを備えたデジタルカメラにおいて、
電源スイッチがオフされたことを検知する電源オフ検知手段を設けるとともに、電源オフ検知手段で電源オフを検知した場合に、前記信号処理手段で画像データに歪み補正を施すことを特徴とするデジタルカメラ。
【請求項３】
カメラ本体内に着脱自在に収納される記憶手段を用い、この記憶手段がカメラ本体から取り外されることを検知する取り外し検知手段を設けるとともに、この取り外し検知手段で記憶手段が取り外されることを検知した場合に、前記信号処理手段で画像データに歪み補正を施すことを特徴とする請求項１または２に記載のデジタルカメラ。
【発明の詳細な説明】
【０００１】
【発明の属する技術分野】
本発明は、撮影後の画像をユーザーが鑑賞する可能性がある事象が発生したときに歪み補正を施すデジタルカメラに関する。
【０００２】
【従来の技術】
ＣＣＤイメージセンサなどで撮像した被写体画像をデジタルの画像データに変換し、内部メモリやメモリカードなどの記憶媒体に保存するデジタルカメラが普及している。現在市販されているデジタルカメラには、画像を表示する液晶表示器が設けられており、撮影した画像をその場で鑑賞することができる。
【０００３】
現状、デジタルカメラでは、装置の小型化が重要な課題となっており、この課題を解決するための対策として、例えば小型、且つ薄型の撮像レンズを用いている。しかしながら、このような撮像レンズを用いると、一般的に光学歪みが激しくなり、撮影した画像が、図６（Ａ）に破線で示す格子状の被写体に対して実線で示す樽型（広角側）、あるいは（Ｂ）に示す糸巻型（望遠側）に歪んでしまうという問題が生じる。
【０００４】
上記のような問題に対して、撮影後にパーソナルコンピュータなどの画像処理システムを用いて歪み補正を施す方法（特許文献１および２参照）や、デジタルカメラ本体で歪み補正を行うもの（特許文献３参照）が提案されている。
【０００５】
【特許文献１】
特開２０００−３４３７号公報
【特許文献２】
特公平５−１５１１１号公報
【特許文献３】
特開２００１−５９５６号公報
【０００６】
【発明が解決しようとする課題】
しかしながら、特許文献１および２に記載される方法では、液晶表示器で画像を再生する際には歪み補正が行われておらず、ユーザーに画像の歪みを認識されてしまうため、ユーザーの製品に対するイメージが悪くなるおそれがある。一方、特許文献３に記載されるカメラでは、撮影後の画像データに歪み補正を施す時間がある程度必要となるため、近年特に要求されている撮影間隔の短縮を図るうえで障害となる可能性がある。
【０００７】
本発明は、ユーザーに違和感を与えることなく、撮影間隔を短縮させることができるデジタルカメラを提供することを目的とする。
【０００８】
【課題を解決するための手段】
上記目的を達成するために、本発明は、被写体撮影を行う撮影モード、撮影した画像の再生を行う再生モードを選択するモード選択手段と、これらのモードのうちどちらのモードであるかを検知するモード検知手段とを設けるとともに、モード検知手段で撮影モードから再生モードに切り替わったことを検知した場合に、前記信号処理手段で画像データに歪み補正を施すことを特徴とする。
【０００９】
また、本発明は、電源スイッチがオフされたことを検知する電源オフ検知手段を設けるとともに、電源オフ検知手段で電源オフを検知した場合に、前記信号処理手段で画像データに歪み補正を施すことを特徴とする。
【００１０】
なお、カメラ本体内に着脱自在に収納される記憶手段を用いた場合は、この記憶手段がカメラ本体から取り外されることを検知する取り外し検知手段を設けるとともに、この取り外し検知手段で記憶手段が取り外されることを検知した場合に、前記信号処理手段で画像データに歪み補正を施すことが好ましい。
【００１１】
【発明の実施の形態】
図１に、本発明を実施したデジタルカメラの内部構成の概略を示す。デジタルカメラ２の撮像レンズ１０は、主レンズと、この主レンズの光軸上を移動する移動レンズ（ともに図示せず）とからなるズームレンズである。移動レンズは、望遠側から広角側に例えば１０段階のズーム切替が可能となっている。また、主レンズには、ズーム比に応じた光学歪み量が既知のものが用いられる。
【００１２】
撮像レンズ１０の背後には、受光面に結像した被写体光を光電変換するＣＣＤイメージセンサ（ＣＣＤ）１１が配置されている。ＣＣＤ１１で撮像したアナログの撮像信号は、Ａ／Ｄ変換器１２でデジタルの画像データに変換される。ＣＣＤ１１は、図示しないレリーズボタンが押下されたときに、メモリカード１３へ記録する画像データの撮り込みを行う。また、この画像データは、液晶表示器（ＬＣＤ）１４にいわゆるスルー画像として表示される。ＬＣＤ１４は、このスルー画像の表示の他に、撮影した画像の再生や各種撮影条件の設定を行う際に用いられる。
【００１３】
システムコントローラ１５は、信号処理回路１６、画像圧縮回路１７などから構成され、操作部１８からの入力信号に基づいて、デジタルカメラ２の各部を統括的に制御する。このシステムコントローラ１５には、データバス１９を介してＲＡＭ２０およびＲＯＭ２１が接続されている。
【００１４】
操作部１８は、電源スイッチ２２や動作モードを切り換えるモード選択スイッチ２３、レリーズボタン、およびズーム操作や再生コマの切り換えに使用される十字キーなどの各種操作キーからなる。モード選択スイッチ２３によって選択される動作モードには、撮影を行う撮影モード、撮影画像を再生する再生モード、各種設定を行うセットアップモードなどがある。
【００１５】
電源スイッチ２２には、電源スイッチ２２がオフされたことを検知する電源オフ検知手段２４が、モード選択スイッチ２３には、撮影モードと再生モードのうちどちらのモードであるかを検知するモード検知手段２５がそれぞれ接続されている。電源オフ検知手段２４は、電源スイッチ２２がオフされたことを検知すると、この検知信号をシステムコントローラ１５に送信する。また、モード検知手段２５は、撮影モードから再生モードに切り替わったことを検知すると、この検知信号をシステムコントローラ１５に送信する。
【００１６】
ＲＯＭ２１には、各種制御用のプログラムや設定情報などが記録されている。システムコントローラ１５は、これらの情報をＲＯＭ２１から作業用メモリであるＲＡＭ２０に読み出して各種の処理を実行する。なお、ＲＡＭ２０としては、例えばＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）が使用される。
【００１７】
Ａ／Ｄ変換器１２によりデジタル化された画像データは、ＲＡＭ２０に一旦記録される。このとき、画像データに対応した光学歪み量、または光学歪み量に対応した歪み補正データが画像データに付加される。信号処理回路１６は、ＲＡＭ２０に書き込まれた画像データに対して、γ補正、ホワイトバランス補正、シャープネス補正などの各種信号処理、ＲＧＢで表される撮像信号を輝度信号Ｙと色差信号Ｃｒ、Ｃｂとに変換するＹＣ処理を施す。
【００１８】
画像圧縮回路１７は、ＹＣ処理後の画像データに所定の圧縮形式、例えばＪＰＥＧ形式で圧縮処理を施す。圧縮処理された画像データは、メモリカード１３に記録される。メモリカード１３は、カメラ本体に設けられた開閉自在な蓋１３ａを介してカメラ本体内に着脱自在に収納されている。
【００１９】
蓋１３ａには、蓋１３ａが開かれたことを検知する取り外し検知手段２６が接続されている。この取り外し検知手段２６は、蓋１３ａが開かれたことを検知すると、この検知信号をシステムコントローラ１５に送信する。
【００２０】
次に、上記実施形態による作用について、図２、図３のフローチャート、および図４、図５の模式図を参照して説明する。デジタルカメラ２で被写体を撮影する際には、まず、ＡＥ、ＡＦ制御などの撮影前処理を行い、適正な絞り値および露光時間で被写体画像をＣＣＤ１１に露光する。次に、露光された画像をＡ／Ｄ変換器１２によりデジタル変換してＲＡＭ１９に書き込む（図４ａ）。
【００２１】
ＲＡＭ１９に書き込まれた画像データに対して、信号処理回路１６でＹＣ処理を含む各種信号処理を施す（ｂ）。信号処理後の画像データを画像圧縮回路１７で圧縮し（ｃ）、メモリカード１３に記録する（ｄ）。
【００２２】
画像記録後、次の撮影が開始される前に、電源オフ検知手段２４からシステムコントローラ１５に検知信号が送信された場合は、メモリカード１３から画像データをＲＡＭ２０に読み出し（図５ｅ）、その画像データが歪み補正済みのデータであるかどうかを判定する。なお、この判定は、例えば画像データ内のＥｘｉｆヘッダに歪み補正を行ったかどうかの情報を書き込めるようにしておき、メモリカード１３から画像データを読み出した際にこの情報を読み取って行う。
【００２３】
歪み補正が必要なデータである場合は、画像圧縮回路１７で画像伸長処理を施し（ｆ）、信号処理回路１６でパディング処理を施した後、画像データに歪み補正を施す（ｇ）。そして、歪み補正後の画像データに、再度ＹＣ処理、画像圧縮処理を施し（ｈ）、メモリカード１３に記録する（ｉ）。画像の記録後、電源をオフする処理を行う。
【００２４】
なお、ここでは電源オフ検知手段２４からシステムコントローラ１５に検知信号が送信された場合について述べたが、モード検知手段２５、取り外し検知手段２６から検知信号が送信された場合も同様の手順で処理を行う。取り外し検知手段２６から検知信号が送信された場合には、全ての処理が終了するまでメモリカード１３が取り外されないようにするロック機構、または取り外し不可を表示する警告アラームなどを用いることが好ましい。
【００２５】
上記実施形態では、歪み補正が必要なデータかどうかを判定して歪み補正を施しているが、この判断を行わずに、常に歪み補正を施すようにしてもよい。
【００２６】
【発明の効果】
以上のように、本発明のデジタルカメラによれば、被写体撮影を行う撮影モード、撮影した画像の再生を行う再生モードを選択するモード選択手段、およびこれらのモードのうちどちらのモードであるかを検知するモード検知手段、または電源スイッチがオフされたことを検知する電源オフ検知手段を設けるとともに、モード検知手段で撮影モードから再生モードに切り替わったことを検知した場合、または電源オフ検知手段で電源オフを検知した場合に、信号処理手段で画像データに歪み補正を施すので、ユーザーに違和感を与えることがなく、歪み補正の処理時間の分だけ撮影間隔を短縮させることができる。
【図面の簡単な説明】
【図１】本発明を実施したデジタルカメラの内部構成の概略を示すブロック図である。
【図２】撮影後の画像処理手順を示すフローチャートである。
【図３】電源オフ時の画像処理手順を示すフローチャートである。
【図４】撮影後の画像処理手順を示す模式図である。
【図５】電源オフ時の画像処理手順を示す模式図である。
【図６】撮像レンズの光学歪みにより撮影画像に歪みが生じた状態を示す図であり、（Ａ）は樽型、（Ｂ）は糸巻型の歪みが生じた状態をそれぞれ示す。
【符号の説明】
２  デジタルカメラ
１０  撮像レンズ
１１  ＣＣＤイメージセンサ（ＣＣＤ）
１３  メモリカード
１４  液晶表示器（ＬＣＤ）
１５  システムコントローラ
１６  信号処理回路
１７  画像圧縮回路
２０  ＲＡＭ
２２  電源スイッチ
２３  モード選択スイッチ
２４  電源オフ検知手段
２５  モード検知手段
２６  取り外し検知手段
【図１】
2004159168.tif 000003
【図２】
2004159168.tif 000004
【図３】
2004159168.tif 000005
【図４】
2004159168.tif 000006
【図５】
2004159168.tif 000007
【図６】
2004159168.tif 000008